(57)【特許請求の範囲】
【請求項１】
投入された硬貨を一枚ずつ繰り出す繰出機構と、該繰出機構から繰り出された硬貨を繰り出された順番に並べて移送可能な硬貨通路と、該硬貨通路に沿って設けられ、前記繰出機構から前記硬貨通路内へ繰り出された硬貨を上方より押圧しながら該硬貨通路に沿って搬送する搬送手段と、該搬送手段によって前記硬貨通路内を搬送される硬貨を金種識別する識別手段と、前記搬送手段によって前記硬貨通路内を搬送される硬貨を前記識別手段の識別結果に基づいて選別する硬貨選別部と、を備えた硬貨処理機において、
前記硬貨通路の前記硬貨選別部より上流側に前記硬貨通路内に突出して硬貨を停止させるストッパが設けられておらず、
前記搬送手段は、前記繰出機構から繰り出された硬貨を前記硬貨通路の上流側で搬送する第１の搬送ベルトと、該第１の搬送ベルトを駆動する第１の駆動手段と、前記第１の搬送ベルトから送出された硬貨を、該第１の搬送ベルトよりも下流側で前記識別手段および前記硬貨選別部に搬送する第２の搬送ベルトと、該第２の搬送ベルトを駆動する第２の駆動手段とを有しており、
前記第１の搬送ベルトの位置の前記硬貨通路に設けられて硬貨を計数する導入計数手段と、
単一金種の硬貨を計数して所定の指定枚数取り出す計数モードの実行時に、前記導入計数手段によって所定の繰出枚数の硬貨を計数したタイミングに基づいて、前記第２の駆動手段による前記第２の搬送ベルトの駆動を維持し且つ前記第１の駆動手段による前記第１の搬送ベルトの駆動を停止させる制御手段とを備え、
前記制御手段は、前記計数モードの実行時に、前記第１の駆動手段による前記第１の搬送ベルトの駆動を停止させた以降に前記導入計数手段によって硬貨が検知された場合に、前記第１の駆動手段により前記第１の搬送ベルトを、硬貨を前記繰出機構側に戻す方向に回転させることになり、
前記第２の駆動手段による前記第２の搬送ベルトの駆動により前記硬貨通路を搬送される硬貨を前記識別手段よりも下流側で計数する搬送計数手段を有し、
前記計数モードの実行時に、前記硬貨選別部は、前記第２の駆動手段による前記第２の搬送ベルトの駆動により前記硬貨通路を搬送される硬貨を、前記識別手段の識別結果および前記搬送計数手段の計数結果に基づいて、該搬送計数手段よりも下流側の取出選別部およびリジェクト選別部に振り分けることになり、
前記第２の駆動手段による前記第２の搬送ベルトの駆動により前記硬貨通路を搬送される硬貨を前記取出選別部と該取出選別部よりも下流側の前記リジェクト選別部との間で計数するリジェクト計数手段を有し、
前記制御手段は、前記計数モードの実行時に、前記搬送計数手段によって計数された硬貨の枚数と、前記リジェクト計数手段によって計数された硬貨の枚数との差分である差分枚数が前記指定枚数に達しない場合、前記導入計数手段が前記指定枚数と前記差分枚数との差の枚数の硬貨を計数するまで、停止させた前記第１の駆動手段による前記第１の搬送ベルトの駆動を行うことを特徴とする硬貨処理機。
【請求項２】
投入された硬貨を一枚ずつ繰り出す繰出機構と、該繰出機構から繰り出された硬貨を繰り出された順番に並べて移送可能な硬貨通路と、該硬貨通路に沿って設けられ、前記繰出機構から前記硬貨通路内へ繰り出された硬貨を上方より押圧しながら該硬貨通路に沿って搬送する搬送手段と、該搬送手段によって前記硬貨通路内を搬送される硬貨を金種識別する識別手段と、前記搬送手段によって前記硬貨通路内を搬送される硬貨を前記識別手段の識別結果に基づいて選別する硬貨選別部と、を備えた硬貨処理機において、
前記硬貨通路の前記硬貨選別部より上流側に前記硬貨通路内に突出して硬貨を停止させるストッパが設けられておらず、
前記搬送手段は、前記繰出機構から繰り出された硬貨を前記硬貨通路の上流側で搬送する第１の搬送ベルトと、該第１の搬送ベルトを駆動する第１の駆動手段と、前記第１の搬送ベルトから送出された硬貨を、該第１の搬送ベルトよりも下流側で前記識別手段および前記硬貨選別部に搬送する第２の搬送ベルトと、該第２の搬送ベルトを駆動する第２の駆動手段とを有しており、
前記第１の搬送ベルトの位置の前記硬貨通路に設けられて硬貨を計数する導入計数手段と、
単一金種の硬貨を計数して所定の指定枚数取り出す計数モードの実行時に、前記導入計数手段によって所定の繰出枚数の硬貨を計数したタイミングに基づいて、前記第２の駆動手段による前記第２の搬送ベルトの駆動を維持し且つ前記第１の駆動手段による前記第１の搬送ベルトの駆動を停止させる制御手段とを備え、
前記制御手段は、前記計数モードの実行時に、前記第１の駆動手段による前記第１の搬送ベルトの駆動を停止させた以降に前記導入計数手段によって硬貨が検知された場合に、前記第１の駆動手段により前記第１の搬送ベルトを、硬貨を前記繰出機構側に戻す方向に回転させることになり、
前記第２の駆動手段による前記第２の搬送ベルトの駆動により前記硬貨通路を搬送される硬貨を前記識別手段よりも下流側で計数する搬送計数手段を有し、
前記計数モードの実行時に、前記硬貨選別部は、前記第２の駆動手段による前記第２の搬送ベルトの駆動により前記硬貨通路を搬送される硬貨を、前記識別手段の識別結果および前記搬送計数手段の計数結果に基づいて、該搬送計数手段よりも下流側の取出選別部およびリジェクト選別部に振り分けることになり、
前記第２の駆動手段による前記第２の搬送ベルトの駆動により前記硬貨通路を搬送される硬貨を前記取出選別部と該取出選別部よりも下流側の前記リジェクト選別部との間で計数するリジェクト計数手段を有し、
前記制御手段は、前記計数モードの実行時に、前記搬送計数手段によって前記繰出枚数の硬貨が計数され、且つ前記リジェクト計数手段によって硬貨が計数された場合に、前記導入計数手段が前記リジェクト計数手段によって計数された枚数の硬貨を計数するまで、停止させた前記第１の駆動手段による前記第１の搬送ベルトの駆動を行うことを特徴とする硬貨処理機。
【請求項３】
前記計数モードの実行時に、前記硬貨選別部は、前記第２の駆動手段による前記第２の搬送ベルトの駆動により前記硬貨通路を搬送される硬貨を、前記搬送計数手段の識別結果に基づいて、前記指定枚数まで前記取出選別部に、前記指定枚数を超える分を前記取出選別部よりも下流側の前記リジェクト選別部に振り分けることを特徴とする請求項１または２に記載の硬貨処理機。
【請求項４】
前記制御手段は、前記計数モードの実行中に、前記繰出枚数を前記識別手段の識別結果に基づいて変更することを特徴とする請求項１乃至３のいずれか一項に記載の硬貨処理機。
【請求項５】
前記所定の繰出枚数の初期値を前記所定の指定枚数より多い枚数に設定することを特徴とする請求項１乃至４のいずれか一項に記載の硬貨処理機。
【発明の詳細な説明】
【技術分野】
【０００１】
本発明は、硬貨処理機に関し、特にその処理効率の向上に関する。
【背景技術】
【０００２】
硬貨処理機には、硬貨を識別し計数して単一金種の硬貨のみを予め指定された所定の指定枚数だけ払い出す計数モードを実行可能なものがある。この種の硬貨処理機においては、回転円盤に投入された、基本的に単一金種からなる硬貨を回転円盤から一枚ずつ繰り出し、繰り出された硬貨を繰り出された順番に並べて硬貨通路に沿って搬送ベルトにより搬送しつつ、硬貨通路に設けられた識別部において識別計数し、この識別結果に基づいて、下流側の硬貨選別部において、単一金種の計数対象硬貨と、それ以外の硬貨とに選別するようになっている。このような硬貨処理機において、所定の指定枚数の計数対象硬貨を所定の選別孔に落下させた後に、残りの硬貨を停止させる等、硬貨通路上の硬貨の所定位置から下流側への移動を停止させる場合には、硬貨選別部手前のストッパを硬貨通路内に突出させて停止させるようになっている（例えば、特許文献１参照）。
【特許文献１】特許第３４０８９６３号公報
【発明の開示】
【発明が解決しようとする課題】
【０００３】
上記のように硬貨選別部手前のストッパを硬貨通路内に突出させて硬貨を停止させるものでは、停止後、回転円盤からストッパまでの間の硬貨通路に多くの硬貨が残留することになってしまう。このように多くの硬貨が硬貨通路に残留すると、例えば、搬送ベルトを逆回転させて回転円盤に戻す場合に処理に時間がかかる等、処理効率が低下してしまうことがあった。
【０００４】
したがって、本発明は、処理効率を向上することができる硬貨処理機の提供を目的とする。
【課題を解決するための手段】
【０００５】
上記目的を達成するために、請求項１に係る発明は、投入された硬貨を一枚ずつ繰り出す繰出機構と、該繰出機構から繰り出された硬貨を繰り出された順番に並べて移送可能な硬貨通路と、該硬貨通路に沿って設けられ、前記繰出機構から前記硬貨通路内へ繰り出された硬貨を上方より押圧しながら該硬貨通路に沿って搬送する搬送手段と、該搬送手段によって前記硬貨通路内を搬送される硬貨を金種識別する識別手段と、前記搬送手段によって前記硬貨通路内を搬送される硬貨を前記識別手段の識別結果に基づいて選別する硬貨選別部と、を備えた硬貨処理機において、前記硬貨通路の前記硬貨選別部より上流側に前記硬貨通路内に突出して硬貨を停止させるストッパが設けられておらず、前記搬送手段は、前記繰出機構から繰り出された硬貨を前記硬貨通路の上流側で搬送する第１の搬送ベルトと、該第１の搬送ベルトを駆動する第１の駆動手段と、前記第１の搬送ベルトから送出された硬貨を、該第１の搬送ベルトよりも下流側で前記識別手段および前記硬貨選別部に搬送する第２の搬送ベルトと、該第２の搬送ベルトを駆動する第２の駆動手段とを有しており、前記第１の搬送ベルトの位置の前記硬貨通路に設けられて硬貨を計数する導入計数手段と、単一金種の硬貨を計数して所定の指定枚数取り出す計数モードの実行時に、前記導入計数手段によって所定の繰出枚数の硬貨を計数したタイミングに基づいて、前記第２の駆動手段による前記第２の搬送ベルトの駆動を維持し且つ前記第１の駆動手段による前記第１の搬送ベルトの駆動を停止させる制御手段とを備え、前記制御手段は、前記計数モードの実行時に、前記第１の駆動手段による前記第１の搬送ベルトの駆動を停止させた以降に前記導入計数手段によって硬貨が検知された場合に、前記第１の駆動手段により前記第１の搬送ベルトを、硬貨を前記繰出機構側に戻す方向に回転させることになり、前記第２の駆動手段による前記第２の搬送ベルトの駆動により前記硬貨通路を搬送される硬貨を前記識別手段よりも下流側で計数する搬送計数手段を有し、前記計数モードの実行時に、前記硬貨選別部は、前記第２の駆動手段による前記第２の搬送ベルトの駆動により前記硬貨通路を搬送される硬貨を、前記識別手段の識別結果および前記搬送計数手段の計数結果に基づいて、該搬送計数手段よりも下流側の取出選別部およびリジェクト選別部に振り分けることになり、前記第２の駆動手段による前記第２の搬送ベルトの駆動により前記硬貨通路を搬送される硬貨を前記取出選別部と該取出選別部よりも下流側の前記リジェクト選別部との間で計数するリジェクト計数手段を有し、前記制御手段は、前記計数モードの実行時に、前記搬送計数手段によって計数された硬貨の枚数と、前記リジェクト計数手段によって計数された硬貨の枚数との差分である差分枚数が前記指定枚数に達しない場合、前記導入計数手段が前記指定枚数と前記差分枚数との差の枚数の硬貨を計数するまで、停止させた前記第１の駆動手段による前記第１の搬送ベルトの駆動を行うことを特徴としている。
【０００６】
請求項２に係る発明は、投入された硬貨を一枚ずつ繰り出す繰出機構と、該繰出機構から繰り出された硬貨を繰り出された順番に並べて移送可能な硬貨通路と、該硬貨通路に沿って設けられ、前記繰出機構から前記硬貨通路内へ繰り出された硬貨を上方より押圧しながら該硬貨通路に沿って搬送する搬送手段と、該搬送手段によって前記硬貨通路内を搬送される硬貨を金種識別する識別手段と、前記搬送手段によって前記硬貨通路内を搬送される硬貨を前記識別手段の識別結果に基づいて選別する硬貨選別部と、を備えた硬貨処理機において、前記硬貨通路の前記硬貨選別部より上流側に前記硬貨通路内に突出して硬貨を停止させるストッパが設けられておらず、前記搬送手段は、前記繰出機構から繰り出された硬貨を前記硬貨通路の上流側で搬送する第１の搬送ベルトと、該第１の搬送ベルトを駆動する第１の駆動手段と、前記第１の搬送ベルトから送出された硬貨を、該第１の搬送ベルトよりも下流側で前記識別手段および前記硬貨選別部に搬送する第２の搬送ベルトと、該第２の搬送ベルトを駆動する第２の駆動手段とを有しており、前記第１の搬送ベルトの位置の前記硬貨通路に設けられて硬貨を計数する導入計数手段と、単一金種の硬貨を計数して所定の指定枚数取り出す計数モードの実行時に、前記導入計数手段によって所定の繰出枚数の硬貨を計数したタイミングに基づいて、前記第２の駆動手段による前記第２の搬送ベルトの駆動を維持し且つ前記第１の駆動手段による前記第１の搬送ベルトの駆動を停止させる制御手段とを備え、前記制御手段は、前記計数モードの実行時に、前記第１の駆動手段による前記第１の搬送ベルトの駆動を停止させた以降に前記導入計数手段によって硬貨が検知された場合に、前記第１の駆動手段により前記第１の搬送ベルトを、硬貨を前記繰出機構側に戻す方向に回転させることになり、前記第２の駆動手段による前記第２の搬送ベルトの駆動により前記硬貨通路を搬送される硬貨を前記識別手段よりも下流側で計数する搬送計数手段を有し、前記計数モードの実行時に、前記硬貨選別部は、前記第２の駆動手段による前記第２の搬送ベルトの駆動により前記硬貨通路を搬送される硬貨を、前記識別手段の識別結果および前記搬送計数手段の計数結果に基づいて、該搬送計数手段よりも下流側の取出選別部およびリジェクト選別部に振り分けることになり、前記第２の駆動手段による前記第２の搬送ベルトの駆動により前記硬貨通路を搬送される硬貨を前記取出選別部と該取出選別部よりも下流側の前記リジェクト選別部との間で計数するリジェクト計数手段を有し、前記制御手段は、前記計数モードの実行時に、前記搬送計数手段によって前記繰出枚数の硬貨が計数され、且つ前記リジェクト計数手段によって硬貨が計数された場合に、前記導入計数手段が前記リジェクト計数手段によって計数された枚数の硬貨を計数するまで、停止させた前記第１の駆動手段による前記第１の搬送ベルトの駆動を行うことを特徴としている。
【０００８】
請求項３に係る発明は、請求項１または２に係る発明において、前記計数モードの実行時に、前記硬貨選別部は、前記第２の駆動手段による前記第２の搬送ベルトの駆動により前記硬貨通路を搬送される硬貨を、前記搬送計数手段の識別結果に基づいて、前記指定枚数まで前記取出選別部に、前記指定枚数を超える分を前記取出選別部よりも下流側の前記リジェクト選別部に振り分けることを特徴としている。
【００１１】
請求項４に係る発明は、請求項１乃至３のいずれか一項に係る発明において、前記制御手段は、前記計数モードの実行中に、前記繰出枚数を前記識別手段の識別結果に基づいて変更することを特徴としている。
請求項５に係る発明は、請求項１乃至４のいずれか一項に係る発明において、前記所定の繰出枚数の初期値を前記所定の指定枚数より多い枚数に設定することを特徴としている。
【発明の効果】
【００１２】
請求項１，２に係る発明によれば、単一金種の硬貨を計数して所定の指定枚数取り出す計数モードの実行時に、制御手段が、第１の駆動手段による第１の搬送ベルトの駆動および第２の駆動手段による第２の搬送ベルトの駆動を行う。すると、繰出機構から一枚ずつ繰り出された、基本的に単一金種からなる硬貨が第１の搬送ベルトによって硬貨通路の上流側で搬送され、その際に導入計数手段によって計数され、第１の搬送ベルトから送出されて、第２の搬送ベルトによって識別手段および硬貨選別部に向けて搬送されることになる。そして、制御手段は、第１の搬送ベルトの位置の硬貨通路に設けられた導入計数手段によって所定の繰出枚数の硬貨を計数したタイミングに基づいて、第２の搬送ベルトの駆動を維持し且つ第１の駆動手段による第１の搬送ベルトの駆動を停止させることになって、それ以上の第２の搬送ベルトへの硬貨の送出を規制する。これにより、第２の搬送ベルトの位置にあった硬貨がすべて硬貨選別部で選別された後は、硬貨通路内に残留する硬貨が、第１の搬送ベルトの範囲内にある硬貨のみとなる。したがって、硬貨通路内に残留する硬貨を少なくすることができ、例えば、残留する硬貨を繰出機構側に戻す場合に処理に時間がかかること等がなく、処理効率を向上することができる。
【００１３】
請求項１，２に係る発明によれば、計数モードの実行時において、第１の駆動手段による第１の搬送ベルトの駆動を停止させた以降に導入計数手段によって硬貨が検知された場合に、制御手段が、第１の駆動手段により第１の搬送ベルトを、硬貨を繰出機構側に戻す方向に回転させることで、硬貨を繰出機構側に戻すことができる。
【００１４】
請求項１，２に係る発明によれば、計数モードの実行時に、第２の駆動手段による第２の搬送ベルトの駆動により硬貨通路を搬送される硬貨を識別手段よりも下流側の搬送計数手段が計数することになり、硬貨選別部は、識別手段の識別結果および搬送計数手段の計数結果に基づいて、搬送計数手段よりも下流側の取出選別部およびリジェクト選別部に振り分ける。よって、例えば所定の指定枚数までの硬貨を取出選別部に、識別異常の硬貨および所定の指定枚数を超える硬貨をリジェクト選別部に振り分けることができる。
請求項１に係る発明によれば、計数モードの実行時に、制御手段が、搬送計数手段によって計数された硬貨の枚数と、リジェクト計数手段によって計数された硬貨の枚数との差分である差分枚数が前記指定枚数に達しない場合、導入計数手段が前記指定枚数と前記差分枚数との差の枚数の硬貨を計数するまで、第１の駆動手段による第１の搬送ベルトの駆動を行うため、取出選別部に選別されずリジェクト選別部に選別された分の硬貨を第１の搬送ベルトから第２の搬送ベルトに追加して送出することができる。
請求項２に係る発明によれば、計数モードの実行時に、制御手段が、搬送計数手段によって所定の繰出枚数の硬貨が計数され、且つリジェクト計数手段によって硬貨が計数された場合に、導入計数手段がリジェクト計数手段によって計数された枚数の硬貨を計数するまで第１の駆動手段による第１の搬送ベルトの駆動を行うため、取出選別部に選別されずリジェクト選別部に選別された分の硬貨を第１の搬送ベルトから第２の搬送ベルトに追加して送出することができる。
【００１５】
請求項３に係る発明によれば、計数モードの実行時に、硬貨選別部は、第２の駆動手段による第２の搬送ベルトの駆動により硬貨通路を搬送される硬貨を、搬送計数手段の識別結果に基づいて、所定の指定枚数まで取出選別部に、所定の指定枚数を超える分を取出選別部よりも下流側のリジェクト選別部に振り分けることになるため、所定の指定枚数の硬貨を取出選別部に案内し、所定の指定枚数を超える硬貨をリジェクト選別部に案内することができる。
【００１８】
請求項４に係る発明によれば、制御手段が、計数モードの実行中に、第１の駆動手段による第１の搬送ベルトの駆動を停止させる判断基準となる所定の繰出枚数を識別手段の識別結果に基づいて変更するため、識別手段でリジェクト硬貨と判断された枚数の硬貨分を追加して繰り出させてから第１の駆動手段による第１の搬送ベルトの駆動を停止させることができる。
【発明を実施するための最良の形態】
【００１９】
本発明の一実施形態の硬貨処理機を図面を参照して以下に説明する。
硬貨処理機１０には、その上面に、操作者によりバラ硬貨が投入される投入口１１が設けられており、この投入口１１の下側に、投入口１１に投入されたバラ硬貨を一枚ずつ繰り出す繰出機構１２が設けられている。この繰出機構１２は、投入口１１に投入されたバラ硬貨を受け入れるとともに鉛直軸回りに回転可能に設けられた回転円盤１３と、この回転円盤１３の側方にあって回転円盤１３の回転により生じる遠心力によって外側に移動する硬貨を通過させることにより一枚ずつ分離して繰り出す分離部１４と、回転円盤１３を駆動する繰出モータ１５（図２参照）とを有している。
【００２０】
繰出機構１２の分離部１４の側方には、繰出機構１２の分離部１４から繰り出される硬貨を両側の一段高いガイド壁１６，１７の間の通路面１８で案内する硬貨通路１９が水平に配置されている。ガイド壁１６，１７の間隔つまり通路面１８の幅は、繰出機構１２から繰り出された硬貨を繰り出された順番に並べて移送可能な幅となっている。硬貨通路１９は、分離部１４に接続されて回転円盤１３の略接線方向に延出する第１直線部２１と、この第１直線部２１の分離部１４とは反対側から、第１直線部２１に対して略直交方向に延出する第２直線部２２と、この第２直線部２２の第１直線部２１とは反対側から、第２直線部２２に対し略直交方向に延出する第３直線部２３とを有している。 
【００２１】
硬貨通路１９の上方には、硬貨通路１９に沿って搬送機構（搬送手段）２６が設けられている。この搬送機構２６は、繰出機構１２から硬貨通路１９内へ繰り出された硬貨を上方より押圧しながら硬貨通路１９に沿って搬送するものであり、回転円盤１３から繰り出された硬貨を硬貨通路１９の第１直線部２１の上流側で搬送する平面視直線状の導入側ベルト（第１の搬送ベルト）２７と、この導入側ベルト２７から送出された硬貨を第１直線部２１から第２直線部２２、さらには第３直線部２３の第２直線部２２側の一部まで搬送する平面視コ字状の上流側搬送ベルト（第２の搬送ベルト）２８と、この上流側搬送ベルト２８から硬貨を受け取って第３直線部２３の第２直線部２２とは反対側の残りの一部で搬送する平面視直線状の下流側搬送ベルト２９とを有している。
【００２２】
導入側ベルト２７は、ゴム等の弾性を有する高摩擦部材からなる無端状のもので、一対のプーリ３１，３２で両端部が保持されている。そして、一方のプーリ３２が導入側駆動モータ（第１の駆動手段）３３の駆動軸に固定されており、その結果、導入側ベルト２７は、この導入側駆動モータ３３で駆動されて回転する。勿論、他方のプーリ３１が導入側駆動モータ３３の駆動軸に固定されていても良い。なお、導入側ベルト２７、上流側搬送ベルト２８および下流側搬送ベルト２９に加えて、プーリ３１，３２、導入側駆動モータ３３、プーリ３６，３７、プーリ４０，４１および搬送駆動モータ４３も、搬送機構２６を構成する。
【００２３】
上流側搬送ベルト２８は、ゴム等の弾性を有する高摩擦部材からなる無端状のもので、一対のプーリ３６，３７で両端部が保持されるとともに二カ所の屈曲部がそれぞれ上下のプーリ３８および上下のプーリ３９で保持されている。また、下流側搬送ベルト２９も、同様に高摩擦部材からなる無端状のもので一対のプーリ４０，４１で両端部が保持されている。また、上流側搬送ベルト２８の下流側のプーリ３７と、下流側搬送ベルト２９の上流側のプーリ４０とは同軸に固定されている。そして、一つのプーリ４１が搬送駆動モータ（第２の駆動手段）４３の駆動軸に固定されており、上流側搬送ベルト２８および下流側搬送ベルト２９は、この搬送駆動モータ４３で駆動されて同期回転する。勿論、他のプーリ３６，３７，４０のいずれが搬送駆動モータ４３の駆動軸に固定されていても良い。なお、導入側ベルト２７、上流側搬送ベルト２８および下流側搬送ベルト２９に加えて、プーリ３１，３２、導入側駆動モータ３３、プーリ３６〜４１および搬送駆動モータ４３によって搬送機構２６が構成される。
【００２４】
硬貨通路１９の第１直線部２１には、繰出機構１２の近傍であって搬送方向における導入側ベルト２７の位置に、硬貨を検知する硬貨検知センサ（導入計数手段）４７が通路面１８に設けられている。硬貨検知センサ４７は、例えば光学式のセンサであり、通路面１８上を移動する硬貨の通過を検知することによって、通過する硬貨の数を計数可能なカウントセンサとなっている。
【００２５】
硬貨通路１９の第１直線部２１には、搬送方向における上流側搬送ベルト２８の位置に、上流側搬送ベルト２８によって硬貨通路１９内を搬送される硬貨の画像（あるいは材質）を検出することによって、硬貨の真偽および金種を識別するとともに計数するＣＣＤカメラ等を含む識別部（識別手段）４８が、通路面１８の一部を構成するように配置されている。
【００２６】
硬貨通路１９の第２直線部２２には、搬送方向における上流側搬送ベルト２８の位置に、上流側搬送ベルト２８によって硬貨通路１９内を搬送される硬貨を、識別部４８の識別結果等に基づいて選別するための上流側硬貨選別部（硬貨選別部）５０が設けられている。この上流側硬貨選別部５０は、取出選別部５１と、取出選別部５１よりも下流側にあるリジェクト選別部５２とを有している。
【００２７】
取出選別部５１は、指定された単一金種の硬貨を計数して所定の指定枚数取り出す計数モードの実行時に、この計数対象の単一金種の硬貨を所定の指定枚数まで硬貨通路１９から排除し、また、金種混合の硬貨を金種別に計数し分類して収納する収納モードの実行時には硬貨を硬貨通路１９から排除しない。リジェクト選別部５２は、計数モードの実行時に、識別不能硬貨を含む計数対象以外の硬貨および所定の指定枚数を超える計数対象の金種の硬貨を硬貨通路１９から排除し、また収納モードの実行時に識別不能硬貨を硬貨通路１９から排除する。
【００２８】
取出選別部５１は、硬貨通路１９の通路面１８を貫通するように形成された選別孔５４と、この選別孔５４を開閉するシャッタ５５と、シャッタ５５を開閉駆動するソレノイド５６とを有しており、シャッタ５５が開作動されることによって硬貨を選別孔５４から落下させる。この選別孔５４は、図示略のシュートを介して、機外に臨む位置に設けられた図示略の取出口に連通しており、落下した硬貨を機外に取出可能となるように取出口に案内する。
【００２９】
リジェクト選別部５２は、硬貨通路１９の通路面１８を貫通するように形成された選別孔５７と、この選別孔５７を開閉するシャッタ５８と、シャッタ５８を開閉駆動するソレノイド５９とを有しており、シャッタ５８が開作動されることによって硬貨を選別孔５７から落下させる。この選別孔５７は、図示略のシュートを介して、機外に臨む位置に設けられた図示略のリジェクト口に連通しており、落下した硬貨を機外に取出可能となるようにリジェクト口に案内する。
【００３０】
硬貨通路１９の第２直線部２２における取出選別部５１の上流側位置には、硬貨を検知する硬貨検知センサ（搬送計数手段）６０が通路面１８に設けられている。硬貨検知センサ６０は、例えば光学式のセンサであって、検知した硬貨を落下させる際の、取出選別部５１のソレノイド５６の駆動タイミングを計るためのものであり、また、上流側搬送ベルト２８の駆動によって通路面１８上を移動する硬貨の通過を検知することにより、通過する硬貨の数を計数可能となっている。
【００３１】
硬貨通路１９の第２直線部２２における取出選別部５１とリジェクト選別部５２との間位置には、硬貨を検知する硬貨検知センサ（リジェクト計数手段）６２が通路面１８に設けられている。硬貨検知センサ６２は、例えば光学式のセンサであって、検知した硬貨を落下させる際の、リジェクト選別部５２のソレノイド５９の駆動タイミングを計るためのものである。しかも、硬貨検知センサ６２は、上流側搬送ベルト２８の駆動によって通路面１８上を移動する硬貨の通過を検知することによって、通過する硬貨の数を計数可能となっている。つまり、硬貨検知センサ６２は、取出選別部５１とこれよりも下流側のリジェクト選別部５２との間で硬貨を計数可能となっている。
【００３２】
第３直線部２３には、収納モードにおいて硬貨を金種別に選別する金種別選別部６５が設けられている。この金種別選別部６５は、上流側搬送ベルト２８および下流側搬送ベルト２９によって搬送される硬貨を金種別に選別して落下させる、金種数と同数の選別孔６６ａ〜６６ｆを有しており、これら選別孔６６ａ〜６６ｆは、硬貨径の小さいものから順に硬貨を落下させるように配置されている。つまり、最小幅の選別孔６６ａが１円硬貨を、これよりも幅の広い選別孔６６ｂが５０円硬貨を、これよりも幅の広い選別孔６６ｃが５円硬貨を、これよりも幅の広い選別孔６６ｄが１００円硬貨を、これよりも幅の広い選別孔６６ｅが１０円硬貨を、これよりも幅の広い選別孔６６ｆが５００円硬貨をそれぞれ落下させる。選別孔６６ａ〜６６ｆから落下した硬貨は、図示せぬ一時貯留部に各金種別に一時貯留され、その後の承認操作で図示せぬ収納部に各金種別に収納される。なお、各選別孔６６ａ〜６６ｆのそれぞれの直前位置には硬貨検知センサ６７ａ〜６７ｆが対応配置され、硬貨検知センサ６７ａ〜６７ｆのうち隣り合う前後のものをそれぞれ通過した硬貨数の差が、選別孔６６ａ〜６６ｆのうち、その間に位置するものに選別された枚数として計数されるように構成されている。
【００３３】
図２に示すように、繰出モータ１５、導入側駆動モータ３３、搬送駆動モータ４３、硬貨検知センサ４７、識別部４８、ソレノイド５６、ソレノイド５９、硬貨検知センサ６０、硬貨検知センサ６２および硬貨検知センサ６７ａ〜６７ｆは、制御部（制御手段）７０に接続されている。また、制御部７０には、操作者に対して表示を行う表示部７１および操作者による操作入力を受け付ける操作部７２が接続されている。
【００３４】
次に、制御部７０による制御内容を各モード別に説明する。
【００３５】
「計数モード」
単一金種の硬貨を計数して所定の指定枚数取り出す計数モードを実行する場合、操作者によって、基本的には計数対象の単一金種の複数の硬貨が投入口１１に投入されることになり、この状態で、操作者によって操作部７２に計数モードの選択指定操作、計数対象の金種の指定操作、計数枚数である所定の指定枚数（例えば１００枚）の指定操作および処理開始の入力が順次なされる。すると、制御部７０は、繰出モータ１５、導入側駆動モータ３３、搬送駆動モータ４３をすべて正転させる。これにより、硬貨は、繰出機構１２の正回転する回転円盤１３から分離部１４によって一枚ずつ分離されて硬貨通路１９の通路面１８上に繰り出され、硬貨通路１９によって繰り出された順番に並んだ状態で、まず正回転する導入側ベルト２７により搬送され、導入側ベルト２７から送出されて、正回転する上流側搬送ベルト２８に受け渡されて、この上流側搬送ベルト２８によって、識別部４８および上流側硬貨選別部５０に向けて搬送される。
【００３６】
上記のように搬送される硬貨は、まず、導入側ベルト２７による搬送中に、導入側ベルト２７の位置で硬貨検知センサ４７によって検知されることになり、制御部７０は、この硬貨検知センサ４７による検知に基づいて、硬貨通路１９に導入された硬貨の枚数を計数する。
【００３７】
次に、硬貨は、上流側搬送ベルト２８による搬送中に、識別部４８によって検出されることになり、制御部７０は、この識別部４８による検出に基づいて、硬貨が指定金種の計数対象硬貨であるか否かを判断する。
【００３８】
また、硬貨は、上流側搬送ベルト２８による搬送中、次に、硬貨検知センサ６０によって検知されることになり、このとき、制御部７０は、硬貨検知センサ６０で検知された硬貨が、上記した識別部４８の識別結果から計数対象硬貨である場合には、この硬貨が取出選別部５１の選別孔５４に落下可能なタイミングで、ソレノイド５６を駆動してシャッタ５５を開く。すると、この計数対象硬貨が選別孔５４から落下して取出口に案内される。一方、硬貨検知センサ６０で検知された硬貨が計数対象硬貨でない場合には、この硬貨が取出選別部５１の選別孔５４に落下可能なタイミングでソレノイド５６の駆動を停止する。すると、この計数対象でない硬貨は、硬貨検知センサ６２で検知されることになり、制御部７０は、硬貨検知センサ６２で硬貨を検知すると、この硬貨がリジェクト選別部５２の選別孔５７に落下可能なタイミングで、ソレノイド５９を駆動してシャッタ５８を開く。すると、この計数対象でない硬貨が選別孔５７から落下してリジェクト口に案内される。なお、計数対象硬貨が連続する場合には、基本的にこれら硬貨が選別孔５４に落下するまでソレノイド５６の駆動状態を維持し、また、計数対象でない硬貨が連続する場合には、これら硬貨が選別孔５４を通過するまでソレノイド５６の駆動停止状態を維持し、且つこれら硬貨が選別孔５７に落下するまでソレノイド５９の駆動状態を維持する。
【００３９】
以上のようにして、繰出機構１２から繰り出された硬貨が、識別部４８の識別結果に基づいて順次、取出選別部５１およびリジェクト選別部５２に選択的に落下させられることになる。
【００４０】
その際に、制御部７０は、今回の計数モードの実行により、導入側ベルト２７の位置に設けられた硬貨検知センサ４７によって計数された硬貨が、所定の繰出枚数に達したか否かを判断する。そして、所定の繰出枚数に達した場合には、この所定の繰出枚数目の硬貨が、硬貨検知センサ４７の検知のタイミングに基づいて搬送速度から割り出される、導入側ベルト２７から上流側搬送ベルト２８に受け渡されるタイミングであって、しかも、後の硬貨が導入側ベルト２７から上流側搬送ベルト２８に受け渡される前のタイミングで、導入側駆動モータ３３による導入側ベルト２７の正回転駆動および繰出モータ１５による繰出機構１２の正回転駆動を停止させる。
【００４１】
なお、この時点では、制御部７０は、搬送駆動モータ４３による上流側搬送ベルト２８および下流側搬送ベルト２９の正回転駆動状態はそのまま維持することになる。また、導入側駆動モータ３３による導入側ベルト２７の正回転駆動を停止させた以降に硬貨検知センサ４７によって硬貨が検知された場合に、導入側駆動モータ３３により導入側ベルト２７を、硬貨を繰出機構１２側に戻す方向に、少なくとも硬貨検知センサ４７によって硬貨が検知されない状態となるまで逆回転させて停止させる。具体的には、導入側ベルト２７によって移送可能な硬貨をすべて繰出機構１２内に戻すことができる所定時間逆回転させる。
【００４２】
ここで、上記の所定の繰出枚数は、初期値が操作部７２に指定入力された所定の指定枚数とされ、その後、導入側駆動モータ３３により導入側ベルト２７の正回転駆動を停止させる前に、識別部４８によって計数対象ではない硬貨が検出された場合は、検出された計数対象ではない硬貨の数を所定の指定枚数あるいは更新後の所定の繰出枚数に加算した値を新たな所定の繰出枚数として更新する。つまり、所定の繰出枚数≧所定の指定枚数であり、例えば、所定の指定枚数＝１００枚＝所定の繰出枚数の初期状態から、導入側駆動モータ３３の停止前に計数対象ではない硬貨が１枚検出されると、所定の繰出枚数＝１００＋１＝１０１枚となり、導入側駆動モータ３３の停止前に計数対象ではない硬貨がさらに１枚検出されると、所定の繰出枚数＝１０１＋１＝１０２枚となる。
【００４３】
そして、導入側駆動モータ３３による導入側ベルト２７の正回転駆動の停止以後、識別部４８で識別される硬貨がすべて計数対象硬貨である場合、制御部７０は、所定の繰出枚数目の硬貨が、硬貨検知センサ６０で検知された後、取出選別部５１の選別孔５４に確実に落下するタイミングで、搬送駆動モータ４３による上流側搬送ベルト２８の正回転駆動を停止させる。
【００４４】
また、導入側駆動モータ３３による導入側ベルト２７の正回転駆動の停止以後、識別部４８を通過する硬貨に計数対象硬貨でない硬貨が含まれている場合、今回の計数モードにおいて、硬貨検知センサ６０によって計数された硬貨の枚数と、硬貨検知センサ６２によって計数された硬貨の枚数との差分である差分枚数（取出選別部５１から取出口に案内される所定の指定枚数となるべき枚数）が、上記した所定の指定枚数に達しない状態のまま、所定の繰出枚数目の硬貨が硬貨検知センサ６０によって検知され、これが計数対象硬貨でない硬貨の場合、さらに硬貨検知センサ６２によって検知されることになる。
【００４５】
このため、制御部７０は、この所定の繰出枚数目の硬貨が、硬貨検知センサ６０によって検知され、これが計数対象硬貨でない硬貨の場合、さらに硬貨検知センサ６２によって検知されるタイミングで、所定の指定枚数と差分枚数との差の枚数（以下算出枚数）を算出する。そして、制御部７０は、搬送駆動モータ４３による上流側搬送ベルト２８および下流側搬送ベルト２９の正回転駆動状態は維持したまま、硬貨検知センサ４７が算出枚数の硬貨を計数するまで、導入側駆動モータ３３による導入側ベルト２７の正回転駆動および繰出モータ１５による繰出機構１２の正回転駆動を再開させる。そして、硬貨検知センサ４７が、算出枚数の硬貨を計数すると、制御部７０は、導入側駆動モータ３３による導入側ベルト２７の正回転駆動および繰出モータ１５による繰出機構１２の正回転駆動を停止させる。このときも、導入側駆動モータ３３による導入側ベルト２７の正回転駆動を停止させた以降に硬貨検知センサ４７によって硬貨が検知された場合に、導入側駆動モータ３３により導入側ベルト２７を、硬貨を繰出機構１２側に戻す方向に、少なくとも硬貨検知センサ４７によって硬貨が検知されない状態となるまで逆回転させて停止させる。
【００４６】
そして、上記と同様に、制御部７０は、導入側駆動モータ３３による導入側ベルト２７の正回転駆動の、直前の再開作動によって繰り出され識別部４８で識別される硬貨がすべて計数対象硬貨である場合、導入側ベルト２７の正回転駆動の、直前の再開作動によって繰り出され硬貨検知センサ６０で計数される硬貨の枚数が算出枚数となり、算出枚数目の硬貨が取出選別部５１の選別孔５４に確実に落下するタイミングで、搬送駆動モータ４３による上流側搬送ベルト２８の正回転駆動を停止させる。
【００４７】
また、導入側駆動モータ３３による導入側ベルト２７の正回転駆動の、直前の再開作動によって繰り出され識別部４８で識別される硬貨に計数対象硬貨でない硬貨が含まれている場合、導入側ベルト２７の正回転駆動の、直前の再開作動によって繰り出された硬貨の、硬貨検知センサ６０によって計数された枚数と、硬貨検知センサ６２によって計数された枚数との差の枚数が、上記した算出枚数に達しない状態のまま、算出枚数目の硬貨が硬貨検知センサ６０によって計数され、さらにこれが計数対象硬貨でない硬貨の場合には硬貨検知センサ６２によって計数されることになるため、制御部７０は、その後、上記と同様にして、不足する枚数の硬貨を繰出機構１２によって追加して繰り出すとともに導入側駆動モータ３３による導入側ベルト２７の正回転駆動を再開して搬送する。
【００４８】
このようにして、一の計数モードの実行時に、硬貨検知センサ６０によって計数された硬貨の枚数と、硬貨検知センサ６２によって計数された硬貨の枚数との差分である差分枚数が、上記した所定の指定枚数に達するまで上記を必要に応じて繰り返す。
【００４９】
「収納モード」
金種混合の硬貨を計数して金種別に分類して出金可能に収納する収納モードを実行する場合、操作者によって、基本的には金種混合の硬貨が投入口１１に投入されることになり、この状態で、操作者によって操作部７２に収納モードの選択指定操作および処理開始の入力が順次なされると、制御部７０は、繰出モータ１５、導入側駆動モータ３３、搬送駆動モータ４３をすべて正転させる。これにより、硬貨は、繰出機構１２の正回転する回転円盤１３から分離部１４によって一枚ずつ分離されて硬貨通路１９の通路面１８上に繰り出され、硬貨通路１９によって繰り出された順番に並んだ状態で、まず正回転する導入側ベルト２７により搬送され、導入側ベルト２７から送出されて、正回転する上流側搬送ベルト２８に受け渡されて、この上流側搬送ベルト２８によって、識別部４８および上流側硬貨選別部５０に向けて搬送される。
【００５０】
上記のように搬送される硬貨は、まず、導入側ベルト２７による搬送中に、導入側ベルト２７の位置で硬貨検知センサ４７によって検知されることになり、次に、上流側搬送ベルト２８による搬送中に、識別部４８によって検出されることになり、制御部７０は、この識別部４８による検出に基づいて、硬貨の真偽および金種を識別する。
【００５１】
硬貨は、上流側搬送ベルト２８による搬送中、次に、硬貨検知センサ６０によって検知されることになり、次に、硬貨検知センサ６２で検知されることになる。制御部７０は、硬貨検知センサ６２で硬貨を検知すると、識別部４８の識別結果から、この硬貨が真硬貨であるか否かを判断し、真硬貨でない偽硬貨である場合、リジェクト選別部５２の選別孔５７に落下可能なタイミングで、ソレノイド５９を駆動してシャッタ５８を開く。すると、この偽硬貨が選別孔５７から落下してリジェクト口に案内される。
【００５２】
また、制御部７０は、真硬貨については、リジェクト選別部５２のシャッタ５８を閉状態とすることによって、上流側搬送ベルト２８および下流側搬送ベルト２９によって金種別選別部６５に搬送する。すると、金種別選別部６５は、搬送されてきた硬貨を金種別の選別孔６６ａ〜６６ｆに選別落下させて図示略の一時貯留部に金種別に一時貯留させる。そして、繰出機構１２のすべての硬貨が、リジェクト選別部５２および金種別選別部６５のいずれかで選別されると、識別部４８による金種別の計数結果と、選別孔６６ａ〜６６ｆに対応して設けられた硬貨検知センサ６７ａ〜６７ｆによる金種別の計数結果との一致を確認して、計数結果を表示部７１に表示させる。これを見た操作者により、操作部７２に承認操作が入力されると、制御部７０は、図示略の一時貯留部に金種別に一時貯留された硬貨を図示略の収納部に金種別に収納させる。
【００５３】
なお、この収納モードにおいて、硬貨検知センサ４７は、硬貨の残留を検知する残留センサとなる。
【００５４】
以上に述べた本実施形態の硬貨処理機１０によれば、単一金種の硬貨を計数して所定の指定枚数取り出す計数モードの実行時に、制御部７０が、繰出機構１２の繰出モータ１５による回転円盤１３の駆動、導入側駆動モータ３３による導入側ベルト２７の駆動および搬送駆動モータ４３による上流側搬送ベルト２８および下流側搬送ベルト２９の駆動を行う。すると、繰出機構１２から一枚ずつ繰り出された、基本的に単一金種からなる硬貨が導入側ベルト２７によって硬貨通路１９の通路面１８の上流側で搬送され、その際に硬貨検知センサ４７によって計数され、導入側ベルト２７から送出されて、上流側搬送ベルト２８で識別部４８および上流側硬貨選別部５０に向けて搬送されることになる。そして、制御部７０は、導入側ベルト２７の位置の硬貨通路１９に設けられた硬貨検知センサ４７によって所定の繰出枚数の硬貨を計数したタイミングに基づいて、搬送駆動モータ４３による上流側搬送ベルト２８および下流側搬送ベルト２９の駆動を維持し且つ導入側駆動モータ３３による導入側ベルト２７の駆動および駆動モータ１５による駆動機構１２の駆動を停止させることになって、それ以上の上流側搬送ベルト２８への硬貨の送出を規制する。これにより、上流側搬送ベルト２８の位置にあった硬貨がすべて上流側硬貨選別部２８で選別された後は、硬貨通路１９内に残留する硬貨が、導入側ベルト２７の範囲内にある硬貨のみとなる。したがって、硬貨通路１９内に残留する硬貨を少なくすることができ、例えば、残留する硬貨を繰出機構１２側に戻す場合に処理に時間がかかること等がなく、処理効率を向上することができる。
【００５５】
また、計数モードの実行時において、導入側駆動モータ３３による導入側ベルト２７の駆動を停止させた以降に硬貨検知センサ４７によって硬貨が検知された場合に、制御部７０が、導入側駆動モータ３３により導入側ベルト２７を、硬貨を繰出機構１２側に戻す方向に回転させることで、硬貨を繰出機構１２側に戻すことができる。
【００５６】
また、計数モードの実行時に、制御部７０が、硬貨検知センサ６０によって計数された硬貨の枚数（例えば１００枚）と、硬貨検知センサ６２によって計数された硬貨の枚数（例えば２枚）との差分である差分枚数（例えば９８枚）が所定の指定枚数（例えば１００枚）に達しない場合には、硬貨検知センサ４７が所定の指定枚数と差分枚数との差の算出枚数（例えば２枚）の硬貨を計数するまで、停止させた導入側駆動モータ３３による導入側ベルト２７の駆動および繰出モータ１５による繰出機構１２の駆動を行うため、取出選別部５１で選別されずリジェクト選別部５２で選別された分の硬貨を導入側ベルト２７から上流側搬送ベルト２８に追加して送出することができる。
【００５７】
また、制御部７０が、計数モードの実行中に、導入側駆動モータ３３による導入側ベルト２７の停止前において、導入側駆動モータ３３による導入側ベルト２７の駆動を停止させる判断基準となる所定の繰出枚数を識別部４８の識別結果に基づいて変更するため、識別部４８によってリジェクト選別部５２からリジェクト口に案内されるリジェクト硬貨と判断された枚数の硬貨分を、追加して上流側搬送ベルト２８に繰り出させてから導入側駆動モータ３３による導入側ベルト２７の駆動および繰出モータ１５による繰出機構１２の駆動を停止させることができる。したがって、導入側駆動モータ３３による導入側ベルト２７の再駆動の回数を抑制することができる。
【００５８】
なお、計数モードの実行時に、例えば、上記した所定の繰出枚数の初期値として所定の指定枚数（例えば１００枚）に予め所定の余裕枚数（例えば１枚）を加算した値（例えば１０１枚）を設定するようにしても良い。つまり、所定の指定枚数にリジェクト分を加味して繰出機構１２および導入側ベルト２７から上流側搬送ベルト２８に硬貨を繰り出すのである。この場合、上流側硬貨選別部５０は、搬送駆動モータ４３による上流側搬送ベルト２８の駆動により硬貨通路１９を搬送される硬貨を、識別部４８の識別結果および硬貨検知センサ６０の計数結果に基づいて、硬貨検知センサ６０よりも下流側の取出選別部５１およびリジェクト選別部５２に振り分ける。つまり、上流側硬貨選別部５０は、搬送駆動モータ４３による上流側搬送ベルト２８の駆動により硬貨通路１９を搬送される硬貨を、識別部４８および硬貨検知センサ６０の識別結果に基づいて、例えば、計数対象硬貨を所定の指定枚数（例えば１００枚）まで取出選別部５１に、計数対象硬貨の所定の指定枚数を超える分（例えば１枚）を取出選別部５１よりも下流側のリジェクト選別部５２に振り分けることになる。
【００５９】
このように構成すれば、所定の指定枚数の硬貨を取出選別部５１に案内し、所定の指定枚数を超える硬貨をリジェクト選別部５２に案内することができる。勿論、高速で導入側ベルト２７が駆動されることから、所定の繰出枚数に余裕枚数を加味しておかなくても、所定の繰出枚数（例えば１００枚）を超えた硬貨（例えば１０１枚）が、導入側ベルト２７から上流側搬送ベルト２８に渡ってしまうことがあり、この場合も、多く渡った分の硬貨（例えば１枚）を、同様の制御を行ってリジェクト選別部５２に振り分けることになる。
【００６０】
また、上記実施形態においては、識別部４８の識別結果に基づいて上記した所定の繰出枚数を変更するようにしたが、変更せずに所定の繰出枚数を常に所定の指定枚数として制御しても良い。この場合、識別部４８を通過する硬貨に計数対象硬貨でない硬貨が含まれている場合の制御を以下のように変更する。
【００６１】
つまり、制御部７０が、今回の計数モードにおいて、識別部４８を通過する硬貨に計数対象硬貨でない硬貨が含まれている場合、硬貨検知センサ６０によって所定の指定枚数（例えば１００枚）の硬貨が計数され、且つ硬貨検知センサ６２によって何枚かの硬貨が計数されることになり、硬貨検知センサ６２によって計数されたリジェクト枚数（例えば２枚）を除く枚数（例えば９８枚）の硬貨のみが取出選別部５１から取出口に案内され、取出口に案内される硬貨が所定の指定枚数（例えば１００枚）に対して不足する。このため、この場合に、制御部７０は、所定の指定枚数目（例えば１００枚目）の硬貨が硬貨検知センサ６０によって計数され、これが計数対象硬貨でない硬貨の場合、さらに硬貨検知センサ６２によって計数されるタイミングで、リジェクト枚数（例えば２枚）を割り出し、搬送駆動モータ４３による上流側搬送ベルト２８および下流側搬送ベルト２９の正回転の駆動状態は維持したまま、硬貨検知センサ４７が、リジェクト枚数（例えば２枚）の硬貨を計数するまで、停止させた導入側駆動モータ３３による導入側ベルト２７の正回転駆動および繰出モータ１５による繰出機構１２の正回転駆動を再開させる。そして、硬貨検知センサ４７が、このリジェクト枚数の硬貨を計数すると、制御部７０は、導入側駆動モータ３３による導入側ベルト２７の正回転駆動および繰出モータ１５による繰出機構１２の正回転駆動を停止させる。このときも、導入側駆動モータ３３による導入側ベルト２７の正回転駆動を停止させた以降に硬貨検知センサ４７によって硬貨が検知された場合に、導入側駆動モータ３３により導入側ベルト２７を、硬貨を繰出機構１２側に戻す方向に、少なくとも硬貨検知センサ４７によって硬貨が検知されない状態となるまで逆回転させて停止させる。
【００６２】
そして、上記と同様に、制御部７０は、導入側駆動モータ３３による導入側ベルト２７の正回転駆動の、直前の再開作動により繰り出され識別部４８で識別される硬貨がすべて計数対象硬貨である場合、導入側ベルト２７の正回転駆動の、直前の再開作動により繰り出され硬貨検知センサ６０で計数される硬貨の枚数がリジェクト枚数となり、リジェクト枚数目の硬貨が取出選別部５１の選別孔５４に確実に落下するタイミングで、搬送駆動モータ４３による上流側搬送ベルト２８の正回転駆動を停止させる。
【００６３】
また、導入側駆動モータ３３による導入側ベルト２７の正回転駆動の、直前の再開作動により繰り出され識別部４８で識別される硬貨に計数対象硬貨でない硬貨が含まれている場合、導入側ベルト２７の正回転駆動の、直前の再開作動により繰り出され硬貨検知センサ６０によって計数される硬貨の枚数がリジェクト枚数となり、リジェクト枚数目の硬貨が計数対象硬貨でない硬貨であった場合にこれを硬貨検知センサ６２で計数するタイミングで、制御部７０は、硬貨検知センサ６２によって新たに計数された硬貨の枚数を新たなリジェクト枚数として、上記と同様にして不足する枚数の硬貨を追加して繰り出し搬送する。
【００６４】
このようにして、一の計数モードの実行時に、硬貨検知センサ６０によって計数された硬貨の枚数と、硬貨検知センサ６２によって計数された硬貨の枚数との差分である差分枚数が、上記した所定の指定枚数に達するまで上記を必要に応じて繰り返す。
【００６５】
このように、計数モードの実行時に、制御部７０が、硬貨検知センサ６０によって所定の指定枚数（繰出枚数）の硬貨が計数され、且つ硬貨検知センサ６２によって硬貨が計数された場合に、硬貨検知センサ４７が硬貨検知センサ６２によって計数されたリジェクト枚数の硬貨を計数するまで、停止させた導入側駆動モータ３３による導入側ベルト２７の駆動および繰出モータ１５による繰出機構１２の駆動を行うため、取出選別部５１に選別されずリジェクト選別部５２に選別された硬貨の分を繰出機構１２および導入側ベルト２７から上流側搬送ベルト２８に追加して送出することができる。
【図面の簡単な説明】
【００６６】
【図１】本発明の一実施形態の硬貨処理機の内部構成を示す平面図である。
【図２】本発明の一実施形態の硬貨処理機の制御系の要部構成を示すブロック図である。
【符号の説明】
【００６７】
１０  硬貨処理機
１２  繰出機構
１９  硬貨通路
２６  搬送機構（搬送手段）
２７  導入側ベルト（第１の搬送ベルト）
２８  上流側搬送ベルト（第２の搬送ベルト）
３３  導入側駆動モータ（第１の駆動手段）
４３  搬送駆動モータ（第２の駆動手段）
４７  硬貨検知センサ（導入計数手段）
４８  識別部（識別手段）
５０  上流側硬貨選別部（硬貨選別部）
５１  取出選別部
５２  リジェクト選別部
６０  硬貨検知センサ（搬送計数手段）
６２  硬貨検知センサ（リジェクト計数手段）
７０  制御部（制御手段）
【図１】
0005222518.tif 000002
【図２】
0005222518.tif 000003